(57)【要約】【課題】使用許可時間のみ所定の画像を投写するプロジェクターとプロジェクター管理装置を備えたプロジェクター管理システムにおいて、特定のプロジェクターの光源が消耗するのを防止できるプロジェクター管理システムを提供する。【解決手段】プロジェクター管理装置が使用許可受付手段よりプロジェクターの使用許可要求を受け付けると（ステップＳ１０１）、制御手段は、保管ラックに保管されており使用可能であるプロジェクターと通信してそれぞれのプロジェクターの光源の点灯時間を取得し（ステップＳ１０２）、光源の点灯時間が最も短いプロジェクターを選択して（ステップＳ１０３）、使用許可情報を送信する（ステップＳ１０４）。【選択図】図３
2014142391.tif 000002
【特許請求の範囲】
【請求項１】
光源から射出された光を画像情報に応じて変調し投写する画像投写手段と、前記光源の点灯時間を計測する点灯時間計測手段と、を備えた複数のプロジェクターと、
前記プロジェクターに対して使用許可時間を含む使用許可情報を発行するプロジェクター管理装置と、を備えるプロジェクター管理システムであって、
前記プロジェクター管理装置は、
前記プロジェクターより前記点灯時間を受信する通信手段と、
前記プロジェクターの使用許可要求を受け付ける使用許可受付手段と、
前記使用許可受付手段が受け付けた前記使用許可要求に対し、前記複数のプロジェクターのうち、前記点灯時間に応じて、前記使用許可情報を発行する前記プロジェクターを選択するプロジェクター選択手段と、
前記プロジェクター選択手段が選択した前記プロジェクターに前記使用許可情報を送信する、使用許可発行手段と、
を備え、
前記プロジェクターは、
前記プロジェクター管理装置より前記使用許可情報を受信する通信手段と、
受信した前記使用許可情報に基づいて、前記使用許可時間内において画像を投写させる制御手段と、
を有することを特徴とするプロジェクター管理システム。
【請求項２】
請求項１に記載のプロジェクター管理システムにおいて、
前記プロジェクター選択手段は、前記複数のプロジェクターのうち、前記点灯時間が最も短いものから選択することを特徴とするプロジェクター管理システム。
【請求項３】
請求項１に記載のプロジェクター管理システムにおいて、
前記プロジェクター選択手段は、前記複数のプロジェクターそれぞれの使用順位を定め、前記使用順位が一つ前後する２つの前記プロジェクターにおいて、前記点灯時間の差が所定の時間以内になるように前記使用許可情報を発行する前記プロジェクターを選択することを特徴とするプロジェクター管理システム。
【請求項４】
光源から射出された光を画像情報に応じて変調し投写する画像投写手段と、前記光源の点灯時間を計測する点灯時間計測手段と、を備えた複数のプロジェクターと、
前記プロジェクターに対して使用許可時間を含む使用許可情報を発行するプロジェクター管理装置と、を備えるプロジェクター管理システムの制御方法であって、
前記プロジェクター管理装置において、
前記プロジェクターより前記点灯時間を受信する点灯時間受信ステップと、
前記プロジェクターの使用許可要求を受け付ける使用許可受付ステップと、
前記使用許可受付ステップにおいて受け付けた前記使用許可要求に対し、前記複数のプロジェクターのうち、前記点灯時間に応じて、前記使用許可情報を発行する前記プロジェクターを選択するプロジェクター選択ステップと、
前記プロジェクター選択ステップにおいて選択された前記プロジェクターに前記使用許可情報を送信する使用許可発行ステップと、
を有し、
前記プロジェクターにおいて、
前記プロジェクター管理装置より前記使用許可情報を受信する使用許可受信ステップと、
受信した前記使用許可情報に基づいて、前記使用許可時間内において画像を投写させる制御ステップと、
を有することを特徴とするプロジェクター管理システムの制御方法。
【請求項５】
プロジェクターに対して使用許可時間を含む使用許可情報を発行するプロジェクター管理装置であって、
前記プロジェクターより当該プロジェクターに備えられた光源の点灯時間を受信する受信手段と、
前記プロジェクターの使用許可要求を受け付ける使用許可受付手段と、
前記使用許可受付手段が受け付けた前記使用許可要求に対し、前記複数のプロジェクターのうち、前記点灯時間に応じて、前記使用許可情報を発行する前記プロジェクターを選択するプロジェクター選択手段と、
前記プロジェクター選択手段が選択した前記プロジェクターに前記使用許可情報を送信する、使用許可発行手段と、
を備えることを特徴とするプロジェクター管理装置。
【発明の詳細な説明】
【技術分野】
【０００１】
本発明は、使用許可時間のみ所定の画像を投写するプロジェクターと該プロジェクターに使用許可を発行するプロジェクター管理装置とを備えるプロジェクター管理システム、およびプロジェクター管理システムの制御方法、および該プロジェクター管理装置に関する。
【背景技術】
【０００２】
複数の会議スペースや教室などで限られた台数のプロジェクターを共用して使用する場合、プロジェクターが不正に持ち出されないように管理する必要があった。そこで、特許文献１に記載のように、プロジェクターを持ち出す際に、所定時間使用が可能になる使用許可コードの発行を受けるシステムが開示されている。このようなシステムによれば、使用許可コードの発行を受けなければプロジェクターを使用することができず、また所定の使用許可時間を経過した後は使用できなくなるので、プロジェクターが不正に持ち出されるのを防止することができる。
【先行技術文献】
【特許文献】
【０００３】
【特許文献１】特開２０１１−１００３７６号公報
【発明の概要】
【発明が解決しようとする課題】
【０００４】
しかし、特許文献１のようなシステムでは特定のプロジェクターに使用が集中した場合、プロジェクターの光源が早く消耗して早期に寿命に到達してしまう可能性があった。また、複数のプロジェクターが同じ頻度で使われた場合は光源が同じくらいに消耗するので、同じ時期に集中して光源が寿命を迎える可能性があった。このため、ユーザーはプロジェクターの使用許可を受ける際にそれぞれのプロジェクターの光源の点灯時間からどのプロジェクターを使うのか考える必要があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクター管理システムは、光源から射出された光を画像情報に応じて変調し投写する画像投写手段と、前記光源の点灯時間を計測する点灯時間計測手段と、を備えた複数のプロジェクターと、前記プロジェクターに対して使用許可時間を含む使用許可情報を発行するプロジェクター管理装置と、を備えるプロジェクター管理システムであって、前記プロジェクター管理装置は、前記プロジェクターより前記点灯時間を受信する通信手段と、前記プロジェクターの使用許可要求を受け付ける使用許可受付手段と、前記使用許可受付手段が受け付けた前記使用許可要求に対し、前記複数のプロジェクターのうち、前記点灯時間に応じて、前記使用許可情報を発行する前記プロジェクターを選択するプロジェクター選択手段と、前記プロジェクター選択手段が選択した前記プロジェクターに前記使用許可情報を送信する、使用許可発行手段、とを備え、前記プロジェクターは、前記プロジェクター管理装置より前記使用許可情報を受信する通信手段と、受信した前記使用許可情報に基づいて、前記使用許可時間内において画像を投写させる制御手段と、を有することを特徴とする。
【０００７】
本適用例によれば、使用許可時間を含む使用許可情報をプロジェクターに発行することでプロジェクターを使用可能とするプロジェクター管理システムは、複数のプロジェクターのうち、光源の点灯時間に応じてプロジェクターを選択し、使用許可情報を発行する。これにより、複数のプロジェクターのうち、特定のプロジェクターの光源が他のプロジェクターの光源より著しく早く寿命に達したり、複数のプロジェクターの光源が同時期に寿命を迎えたりすることを防止することが可能となる。したがって、ユーザーは、プロジェクターの使用許可を受ける際、それぞれのプロジェクターの光源の点灯時間を意識することなく、その時点における最適なプロジェクターの使用許可を受けることが可能となる。
【０００８】
［適用例２］上記適用例に記載のプロジェクター管理システムにおいて、前記プロジェクター選択手段は、前記複数のプロジェクターのうち、前記点灯時間が最も短いプロジェクターを選択することが好ましい。
【０００９】
本適用例によれば、使用許可時間を含む使用許可情報をプロジェクターに発行することでプロジェクターを使用可能とするプロジェクター管理システムにおいて、複数のプロジェクターのうち、光源の点灯時間が最も短いプロジェクターを選択し、使用許可情報を発行する。これにより、特定のプロジェクターに使用が集中し、光源が早く消耗して早期に寿命に到達するのを防止することが可能となる。
【００１０】
［適用例３］上記適用例に記載のプロジェクター管理システムにおいて、前記プロジェクター選択手段は、前記複数のプロジェクターそれぞれの使用順位を定め、前記使用順位が一つ前後する２つの前記プロジェクターにおいて、前記点灯時間の差が所定の時間以内になるように前記使用許可情報を発行する前記プロジェクターを選択することが好ましい。
【００１１】
本適用例によれば、使用許可時間を含む使用許可情報をプロジェクターに発行することでプロジェクターを使用可能とするプロジェクター管理システムにおいて、複数のプロジェクターの使用順位が設定される。そして、複数のプロジェクターの使用順位が一つ前後する２つのプロジェクターにおいて、光源の点灯時間の差が所定の時間以内になるようにプロジェクターが選択され、使用許可情報が発行される。これにより、各プロジェクターが同じ頻度で使用されて光源が同時期に集中して寿命時間に到達するのを防止するとともに、各プロジェクターの使用頻度のばらつきを小さくし、特定のプロジェクターの光源が他のプロジェクターの光源より著しく早く寿命に達することを防止することが可能となる。
【００１２】
［適用例４］本記適用例に係るプロジェクター管理システムの制御方法は、光源から射出された光を画像情報に応じて変調し投写する画像投写手段と、前記光源の点灯時間を計測する点灯時間計測手段と、を備えた複数のプロジェクターと、前記プロジェクターに対して使用許可時間を含む使用許可情報を発行するプロジェクター管理装置と、を備えるプロジェクター管理システムの制御方法であって、前記プロジェクター管理装置において、前記プロジェクターより前記点灯時間を受信する点灯時間受信ステップと、前記プロジェクターの使用許可要求を受け付ける使用許可受付ステップと、前記使用許可受付ステップにおいて受け付けた前記使用許可要求に対し、前記複数のプロジェクターのうち、前記点灯時間に応じて、前記使用許可情報を発行する前記プロジェクターを選択するプロジェクター選択ステップと、前記プロジェクター選択ステップにおいて選択された前記プロジェクターに前記使用許可情報を送信する使用許可発行ステップと、を有し、前記プロジェクターにおいて、前記プロジェクター管理装置より前記使用許可情報を受信する使用許可受信ステップと、受信した前記使用許可情報に基づいて、前記使用許可時間内において画像を投写させる制御ステップと、を有することを特徴とする。
【００１３】
本適用例によれば、複数のプロジェクターのうち、光源の点灯時間に応じてプロジェクターを選択するプロジェクター選択ステップと、選択されたプロジェクターに使用許可時間を含む使用許可情報を送信する使用許可発行ステップとを有することにより、ユーザーがプロジェクターの使用許可を受ける際、それぞれのプロジェクターの光源の点灯時間を意識することなく、その時点における最適なプロジェクターの使用許可を受けることができる、プロジェクター管理システムの制御方法を提供できる。
【００１４】
［適用例５］本適用例に係るプロジェクター管理装置は、プロジェクターに対して使用許可時間を含む使用許可情報を発行するプロジェクター管理装置であって、前記プロジェクターより当該プロジェクターに備えられた光源の点灯時間を受信する受信手段と、前記プロジェクターの使用許可要求を受け付ける使用許可受付手段と、前記使用許可受付手段が受け付けた前記使用許可要求に対し、前記複数のプロジェクターのうち、前記点灯時間に応じて、前記使用許可情報を発行する前記プロジェクターを選択するプロジェクター選択手段と、前記プロジェクター選択手段が選択した前記プロジェクターに前記使用許可情報を送信する、使用許可発行手段と、を備えることを特徴とする。
【００１５】
本適用例によれば、使用許可時間を含む使用許可情報をプロジェクターに発行することでプロジェクターを使用可能とするプロジェクター管理装置において、複数のプロジェクターのうち、光源の点灯時間に応じてプロジェクターを選択し、使用許可情報を発行する。これにより、ユーザーは、プロジェクターの使用許可を受ける際、それぞれのプロジェクターの光源の点灯時間を意識することなく、その時点における最適なプロジェクターの使用許可を受けることが可能となる。
【図面の簡単な説明】
【００１６】
【図１】第１実施形態に係るプロジェクター管理システムの正面図。
【図２】第１実施形態に係るプロジェクター管理システムの回路構成を示すブロック図。
【図３】第１実施形態に係るプロジェクター管理システムの動作を示すフローチャートであり、（ａ）はプロジェクター管理装置の動作、（ｂ）はプロジェクターの動作を示すフローチャート。
【図４】第２実施形態に係るプロジェクター管理システムにおいて、各プロジェクターの点灯時間から使用を許可するプロジェクターを選択する方法を示す図。
【図５】第２実施形態に係るプロジェクター管理システムのプロジェクター管理装置の動作を示すフローチャート。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
以下、第１実施形態として、複数のプロジェクターのうち、光源の点灯時間が最も短いものから選択し、選択したプロジェクターに使用許可時間を含む使用許可情報を送信するプロジェクター管理システムについて説明する。
【００１９】
図１は、本実施形態のプロジェクター管理システム１０の正面図である。図１に示すように、プロジェクター管理システム１０は、複数のプロジェクター１００と、保管ラック１１と、操作パネル１２とを備え、操作パネル１２には、プロジェクター管理装置２００が組み込まれている。本実施形態のプロジェクター管理システム１０は、４台のプロジェクター１００Ａ，１００Ｂ，１００Ｃ，１００Ｄを備え、保管ラック１１は、この４台のプロジェクター１００Ａ，１００Ｂ，１００Ｃ，１００Ｄを収納可能に構成されている。また、操作パネル１２の前面には、プロジェクター管理装置２００に対してプロジェクター１００の使用許可要求を行うための使用許可受付手段２３０、および表示手段２６０が配置されている。なお、４台のプロジェクター１００Ａ，１００Ｂ，１００Ｃ，１００Ｄは、いずれも同様の構成および機能を持つものとし、任意の１台を指す場合は「プロジェクター１００」と称するものとする。
【００２０】
保管ラック１１に収納されている各プロジェクター１００は、図示しないケーブルまたはコネクターを介してプロジェクター管理装置２００と通信を行えるようになっている。なお、４台以外の数のプロジェクター１００を有するようにプロジェクター管理システム１０を構成してもよい。
【００２１】
本実施形態におけるプロジェクター管理システム１０では、プロジェクター１００の貸出を希望するユーザーは、操作パネル１２上の使用許可受付手段２３０の各操作キーを操作して使用時間などの情報を入力することにより、プロジェクター管理装置２００が貸出するプロジェクター１００を選択し、このプロジェクター１００に対して使用許可時間を含む使用許可情報の発行を受ける。
【００２２】
なお、使用許可時間とは、プロジェクター１００を使用する（動作させる）ことができる期間（日時範囲）を表すものであり、その期間が過ぎたら使用許可情報は無効となり、プロジェクター１００を使用する（動作させる）ことはできなくなる。
【００２３】
図２は、本実施形態のプロジェクター管理システム１０のプロジェクター１００、およびプロジェクター管理装置２００の回路構成を示すブロック図である。
図２に示すように、プロジェクター１００は、画像入力端子１０６、画像投写手段１１０、ＯＳＤ処理手段１１６、画像信号処理手段１１７、画像信号入力手段１１８、制御手段１２０、記憶手段１３０、光源制御手段１４２、入力操作手段１４３、通信手段１４５、報知手段１４７、電源端子１５０、電源部１５１等で構成されており、これらはプロジェクター１００の筐体の内部、または外面に配置されている。また、プロジェクター管理装置２００は、制御手段２１０、記憶手段２２０、使用許可受付手段２３０、通信手段２５０、および表示手段２６０等を有する。
【００２４】
画像投写手段１１０は、光源１１１、光変調装置としての３つの液晶ライトバルブ１１２Ｒ，１１２Ｇ，１１２Ｂ、投写光学系としての投写レンズ１１３、液晶駆動手段１１４等を含んでいる。画像投写手段１１０は、光源１１１から射出された光を、液晶ライトバルブ１１２Ｒ，１１２Ｇ，１１２Ｂで変調し、投写レンズ１１３から投写することによってスクリーンＳＣ等に画像を表示する。
【００２５】
光源１１１は、超高圧水銀ランプやメタルハライドランプ等からなる放電型の光源ランプ１１１ａと、光源ランプ１１１ａが放射した光を液晶ライトバルブ１１２Ｒ，１１２Ｇ，１１２Ｂ側に反射するリフレクター１１１ｂとを含んで構成されている。
光源１１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１１２Ｒ，１１２Ｇ，１１２Ｂに入射する。
【００２６】
液晶ライトバルブ１１２Ｒ，１１２Ｇ，１１２Ｂは、一対の透明基板間に液晶が封入された液晶パネル等によって構成される。液晶ライトバルブ１１２Ｒ，１１２Ｇ，１１２Ｂには、マトリックス状に配列された複数の画素（図示せず）が形成されており、液晶に対して画素毎に駆動電圧を印加可能になっている。
液晶駆動手段１１４が、入力される画像情報に応じた駆動電圧を各画素に印加すると、各画素は、画像情報に応じた光透過率に設定される。このため、光源１１１から射出された光は、この液晶ライトバルブ１１２Ｒ，１１２Ｇ，１１２Ｂを透過することによって変調され、画像情報に応じた画像光が色光毎に形成される。
形成された各色の画像光は、図示しない色合成光学系によって画素毎に合成されてカラーの画像光となった後、投写レンズ１１３によってスクリーンＳＣ等に拡大投写される。
【００２７】
なお、本実施形態では、画像投写手段１１０は、光変調装置としての３つの液晶ライトバルブ１１２Ｒ，１１２Ｇ，１１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２８】
制御手段１２０は、図示しないＣＰＵ（Central Processing Unit）や、各種データ等の一時記憶に用いられるＲＡＭ（Random Access Memory）等を備え、記憶手段１３０に記憶されている制御プログラム（図示せず）に従って動作することによりプロジェクター１００の動作を統括制御する。つまり、制御手段１２０は、記憶手段１３０とともにコンピューターとして機能する。制御手段１２０は光源１１１の点灯時間を計測する点灯時間計測手段１２１を含む。
【００２９】
記憶手段１３０は、フラッシュメモリーやＦｅＲＡＭ（Ferroelectric RAM：強誘電体メモリー）等の書き換え可能な不揮発性のメモリーにより構成されている。記憶手段１３０には、プロジェクター１００の動作を制御するための制御プログラムや、プロジェクター１００の動作条件等を規定する各種設定データ等が記憶されている。記憶手段１３０は、光源１１１の点灯時間と、プロジェクター管理装置２００から受信する使用許可情報が保存される（いずれも図示せず）。
【００３０】
入力操作手段１４３は、ユーザーがプロジェクター１００に対して各種指示を行うための複数の操作キーを備えている。入力操作手段１４３は、図示は省略するが、ユーザーがプロジェクター１００に対して各種指示を行うための複数の操作キーを備え、プロジェクター１００の筐体外面に備えられる本体キーで構成される。
入力操作手段１４３が備える操作キーとしては、電源のオン・オフを交互に切り替えるための電源キーや、画像信号入力手段１１８に入力される複数の画像入力端子１０６を切り替えるための入力切替キー、各種設定を行うための設定メニューを重畳表示させるメニューキー、メニューからユーザーが設定項目を選択するカーソルキー、決定キー、エスケープキー等がある。
【００３１】
ユーザーが入力操作手段１４３の各種操作キーを操作すると、入力操作手段１４３は、ユーザーの操作内容に応じた操作信号を制御手段１２０に出力する。なお、入力操作手段１４３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段１２０に伝達する。
【００３２】
画像信号入力手段１１８は、複数の画像入力端子１０６より、ビデオ再生装置やパーソナルコンピューター等、外部の画像出力装置から、図示しないケーブルを介して画像情報が入力される。入力された画像情報は、制御手段１２０の指示に基づき、画像信号処理手段１１７に出力される。なお、画像信号入力手段１１８は、無線通信や光通信などの受信部を備え、外部機器から無線によって画像信号を入力する構成にしてもよい。
【００３３】
画像信号処理手段１１７は、画像信号入力手段１１８から入力される画像情報を、液晶ライトバルブ１１２Ｒ，１１２Ｇ，１１２Ｂの各画素の階調を表す画像情報に変換する。ここで、変換された画像情報は、赤（Ｒ），緑（Ｇ），青（Ｂ）の色光別になっており、各液晶ライトバルブ１１２Ｒ，１１２Ｇ，１１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理手段１１６は、制御手段１２０の指示に基づいて、投写画像上に、メニュー画像やメッセージ画像等のＯＳＤ（オンスクリーンディスプレイ）画像を重畳して表示するための処理を行う。ＯＳＤ処理手段１１６は、図示しないＯＳＤメモリーを備えており、ＯＳＤ画像を形成するための図形やフォント等を表すＯＳＤ画像情報を記憶している。
【００３５】
制御手段１２０が、ＯＳＤ画像の重畳表示を指示すると、ＯＳＤ処理手段１１６は、必要なＯＳＤ画像情報をＯＳＤメモリーから読み出し、投写画像上の所定の位置にＯＳＤ画像が重畳されるように、画像信号処理手段１１７から入力される画像情報にこのＯＳＤ画像情報を合成する。ＯＳＤ画像情報が合成された画像情報は、液晶駆動手段１１４に出力される。
なお、制御手段１２０からＯＳＤ画像を重畳する旨の指示がない場合には、ＯＳＤ処理手段１１６は、画像信号処理手段１１７から入力される画像情報を、そのまま液晶駆動手段１１４に出力する。
【００３６】
液晶駆動手段１１４は、ＯＳＤ処理手段１１６から入力される画像情報に従って液晶ライトバルブ１１２Ｒ，１１２Ｇ，１１２Ｂを駆動すると、液晶ライトバルブ１１２Ｒ，１１２Ｇ，１１２Ｂは、画像情報に応じた画像を形成し、この画像が投写レンズ１３から投写される。
【００３７】
光源制御手段１４２は、制御手段１２０の指示に基づいて、光源１１１に対する電力の供給と停止とを制御し、光源１１１の点灯、および消灯を切り替える。
【００３８】
通信手段１４５は、プロジェクター管理装置２００と無線または有線で通信し、プロジェクター１００の光源１１１の点灯時間をプロジェクター管理装置２００に送信し、また使用許可情報をプロジェクター管理装置２００より受信し、記憶手段１３０に保存する。なお、通信手段１４５は、光源１１１が点灯していない状態でもプロジェクター管理装置２００と通信できるように構成されている。
【００３９】
報知手段１４７は、ＬＥＤやブザーなどで構成され、プロジェクター１００の動作状態を報知する。本実施形態では報知手段１４７は、有効な使用許可情報が存在しないエラー状態であることを報知する。
【００４０】
電源部１５１には、電源端子１５０を介してＡＣ１００Ｖ等の電力が外部から供給される。電源部１５１は、入力した電力（交流電力）を所定の直流電力に変換して、プロジェクター１００の各部に変換された電力を供給する。
また、電源部１５１は、制御手段１２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。なお、プロジェクター１００は、スタンバイ状態でも通信手段１４５によってプロジェクター管理装置２００と通信を行う。
【００４１】
制御手段２１０は、図示しないＣＰＵや、各種データ等の一時記憶に用いられるＲＡＭ等を備え、記憶手段２２０に記憶されている制御プログラム（図示せず）に従って動作することによりプロジェクター管理装置２００の動作を統括制御する。つまり、制御手段２１０は、記憶手段２２０とともにコンピューターとして機能する。制御手段２１０は、使用許可情報を送信するプロジェクター１００を選択するプロジェクター選択手段２１１と、選択したプロジェクター１００に使用許可情報を送信する使用許可発行手段２１２とを含む。
【００４２】
記憶手段２２０は、フラッシュメモリーやＦｅＲＡＭ等の書き換え可能な不揮発性のメモリーにより構成されている。記憶手段２２０には、プロジェクター管理装置２００の動作を制御するための制御プログラム、プロジェクター１００より取得した光源１１１の点灯時間等が記憶されている。
【００４３】
使用許可受付手段２３０は、ユーザーがプロジェクター管理システム１０に対してプロジェクター１００の使用許可要求を行うための複数の操作キーから構成され、図１に示すように表示手段２６０とともに操作パネル１２上に備えられている。
使用許可受付手段２３０が備える操作キーとしては、プロジェクター１００の使用許可要求を行う貸出キー、使用時間等を入力するための各種数字キー等がある。
【００４４】
通信手段２５０は、プロジェクター１００と無線または有線で通信し、使用許可情報をプロジェクター１００に送信し、またプロジェクター１００より光源１１１の点灯時間を受信し、記憶手段２２０に保存する。
【００４５】
表示手段２６０は、ＬＣＤパネルなどで構成され、図１に示すように保管ラック１１の操作パネル１２上に備えられる。表示手段２６０はユーザーがプロジェクター管理装置２００の使用許可受付手段２３０に対して行った操作内容、使用許可情報の内容などを表示する。
【００４６】
次に、本実施形態のプロジェクター管理システム１０の制御方法について、図３のフローチャートを用いて説明する。図３（ａ）はプロジェクター管理装置２００の動作、図３（ｂ）はプロジェクター１００の動作を示す。
【００４７】
（プロジェクター管理装置の動作）
図３（ａ）に示すように、プロジェクター管理装置２００が使用許可受付手段２３０よりプロジェクター１００の使用許可要求を受け付けると（ステップＳ１０１）、ステップＳ１０２に遷移する。ステップＳ１０１は、使用許可受付ステップに相当する。
【００４８】
ステップＳ１０２において制御手段２１０は、保管ラック１１に保管された使用可能であるプロジェクター１００と通信し、それぞれのプロジェクター１００の光源１１１の点灯時間を取得し、記憶手段２２０に保存する。次にステップＳ１０３に遷移する。なお、貸し出し中で保管ラック１１に存在しないプロジェクター１００については、最後に取得した、光源１１１の点灯時間が記憶手段２２０に保存されている。ステップＳ１０２は、点灯時間受信ステップに相当する。
【００４９】
ステップＳ１０３においてプロジェクター選択手段２１１は、記憶手段２２０に保存された光源１１１の点灯時間が最も短く、かつ保管ラック１１に保管されているプロジェクター１００を選択し、ステップＳ１０４へ遷移する。ステップＳ１０３はプロジェクター選択ステップに相当する。
【００５０】
ステップＳ１０４において使用許可発行手段２１２は、ステップＳ１０３において選択されたプロジェクター１００に、ステップＳ１０１において受け付けた使用許可要求に基づく使用許可情報を送信し、ステップＳ１０５に遷移する。ステップＳ１０４は、使用許可発行ステップに相当する。
【００５１】
ステップＳ１０５において本動作フローを終了する。
【００５２】
（プロジェクター１００の動作）
図３（ｂ）に示すように、プロジェクター１００が入力操作手段１４３の電源キーなどにより電源オン操作を受け付けると（ステップＳ２０１）、ステップＳ２０２に遷移する。
【００５３】
ステップＳ２０２において制御手段１２０は、記憶手段１３０にプロジェクター管理装置２００から受信した使用許可情報が保存されているか否かを調べる。使用許可情報が保存されている場合（ステップＳ２０２：Ｙ）には、ステップＳ２０３に遷移する。使用許可情報が保存されていない場合（ステップＳ２０２：Ｎ）には、ステップＳ２０６に遷移する。
【００５４】
ステップＳ２０３において制御手段１２０は、記憶手段１３０に保存されている使用許可情報に基づく使用許可時間を確認し、ステップＳ２０４に遷移する。
【００５５】
ステップＳ２０４において制御手段１２０は、記憶手段１３０に保存されている使用許可情報に基づき、現在の時刻が使用許可時間内か否かを調べる。使用許可時間内の場合（ステップＳ２０４：Ｙ）には、ステップＳ２０５に遷移する。使用許可時間でない（使用許可時間を過ぎている）場合（ステップＳ２０４：Ｎ）には、ステップＳ２０６に遷移する。
【００５６】
ステップＳ２０５において制御手段１２０は、光源制御手段１４２により光源１１１を点灯させ、画像投写手段１１０により画像を投写させてステップＳ２０７に遷移する。
【００５７】
ステップＳ２０６において制御手段１２０は、有効な使用許可情報がないエラー状態であることを報知手段１４７により報知し、ステップＳ２０８に遷移する。
【００５８】
ステップＳ２０７において制御手段１２０は、点灯時間計測手段１２１により、光源１１１の点灯時間の計測を開始し、ステップＳ２０８に遷移する。
【００５９】
ステップＳ２０８において本動作フローを終了する。
【００６０】
なお、図示はしないがプロジェクター１００がプロジェクター管理装置から使用許可情報を受信した場合は受信した使用許可情報を記憶手段１３０に保存する。この処理が使用許可受信ステップに相当する。
また、プロジェクター１００は、受信した使用許可情報に基づいて、使用許可時間内において画像を投写させ、起動してからの動作時間が、記憶手段１３０に保存されている使用許可情報に基づく使用許可時間に到達した場合は、画像の投写を終了し、電源をオフする。この処理が制御ステップに相当する（図示せず）。
【００６１】
以上説明したように、本実施形態のプロジェクター管理システム１０によれば、複数のプロジェクター１００のうち、光源１１１の点灯時間に応じてプロジェクター１００を選択し、使用許可情報を発行する。これにより、ユーザーがプロジェクター１００の使用許可を受ける際、それぞれのプロジェクター１００の光源１１１の点灯時間を意識する必要がなくなり、その時点における最適なプロジェクター１００の使用許可を受けることが可能となる。
また、複数のプロジェクター１００のうち、光源１１１の点灯時間が最も短いプロジェクター１００を選択し、使用許可情報を発行する。これにより、特定のプロジェクター１００に使用が集中し、光源１１１が早く消耗して早期に寿命に到達するのを防止することが可能となる。
【００６２】
（第２実施形態）
以下、第２実施形態として、複数のプロジェクターそれぞれの使用順位を定め、使用順位が一つ前後する２つのプロジェクターにおいて、点灯時間の差が所定の時間Ｔ１以内になるように使用許可を発行するプロジェクターを選択するプロジェクター管理システムについて、図面を用いて説明する。
【００６３】
本実施形態のプロジェクター管理システム１０は、正面図については第１実施形態の図１、ブロック図については第１実施形態の図２とそれぞれ共通であるので説明は省略する。
【００６４】
次に第２実施形態に係るプロジェクター管理システム１０が各プロジェクター１００の光源１１１の点灯時間から、使用を許可するプロジェクター１００を選択する方法について、図４を用いて説明する。
【００６５】
図４（ａ）〜（ｃ）は、４台のプロジェクター１００Ａ，１００Ｂ，１００Ｃ，１００Ｄの使用ケースを例示した図であり、それぞれの使用順位、光源１１１の点灯時間、およびそれぞれの場合におけるプロジェクター１００選択結果を示す図である。ここでは４台のプロジェクター１００Ａ，１００Ｂ，１００Ｃ，１００Ｄは使用順位がそれぞれ１，２，３，４に設定されているものとする。また、全てのプロジェクター１００が保管ラック１１に収納されており、使用可能であるものとする。また、所定の時間Ｔ１を１００時間とする。
【００６６】
図４（ａ）に示すケースにおいて、光源１１１の点灯時間の差は、プロジェクター１００Ａとプロジェクター１００Ｂとが４００−３２０＝８０時間、プロジェクター１００Ｂとプロジェクター１００Ｃとが３２０−２５０＝７０時間、プロジェクター１００Ｃとプロジェクター１００Ｄとが２５０−２２０＝３０時間となっている。
図４（ａ）に示すケースにおいて、光源１１１の点灯時間の差はいずれも時間Ｔ１に満たないので、最も使用順位の高い（使用順位が１の）プロジェクター１００Ａが選択される（網掛け）。なお、プロジェクター１００Ａが使用されて光源１１１の点灯時間が増え、プロジェクター１００Ｂとの差が時間Ｔ１を超えた場合、次回はプロジェクター１００Ｂが選択される。
【００６７】
図４（ｂ）に示すケースにおいて、光源１１１の点灯時間の差は、プロジェクター１００Ａとプロジェクター１００Ｂとが４００−３２０＝８０時間、プロジェクター１００Ｂとプロジェクター１００Ｃとが３２０−２５０＝７０時間、プロジェクター１００Ｃとプロジェクター１００Ｄとが２５０−１４０＝１１０時間となっている。
図４（ｂ）に示すケースにおいて、プロジェクター１００Ｃとプロジェクター１００Ｄとの光源１１１の点灯時間の差が１１０時間で、時間Ｔ１を越えているので、プロジェクター１００Ｄが選択される（網掛け）。なお、プロジェクター１００Ｄが使用されて光源１１１の点灯時間が増え、プロジェクター１００Ｃとの差が時間Ｔ１未満になった場合、次回は図４（ａ）に示すケースのようにプロジェクター１００Ａが選択される。
【００６８】
図４（ｃ）に示すケースにおいて、光源１１１の点灯時間の差は、プロジェクター１００Ａとプロジェクター１００Ｂとが４００−３５０＝５０時間、プロジェクター１００Ｂとプロジェクター１００Ｃとが３５０−２４０＝１１０時間、プロジェクター１００Ｃとプロジェクター１００Ｄとが２４０−１５０＝９０時間となっている。
図４（ｃ）に示すケースにおいて、プロジェクター１００Ｂとプロジェクター１００Ｃとの光源１１１の点灯時間の差が１１０時間で、時間Ｔ１を越えているので、プロジェクター１００Ｃが選択される（網掛け）。なお、プロジェクター１００Ｃが使用されて光源１１１の点灯時間が増え、プロジェクター１００Ｄとの差が時間Ｔ１を超えた場合、次回は図４（ｂ）に示すケースのようにプロジェクター１００Ｄが選択される。
【００６９】
次に、本実施形態のプロジェクター管理システム１０の制御方法について、図５のフローチャートを用いて説明する。図５はプロジェクター管理装置２００の動作を示すフローチャートである。
【００７０】
（プロジェクター管理装置の動作）
図５に示すように、プロジェクター管理装置２００が使用許可受付手段２３０よりプロジェクター１００の使用許可要求を受け付けると（ステップＳ３０１）、ステップＳ３０２に遷移する。ステップＳ３０１は、使用許可受付ステップに相当する。
【００７１】
ステップＳ３０２において制御手段２１０は、保管ラック１１に保管された使用可能であるプロジェクター１００と通信し、それぞれのプロジェクター１００の光源１１１の点灯時間を取得し、記憶手段２２０に保存する。次にステップＳ３０３に遷移する。なお、貸し出し中で保管ラック１１に存在しないプロジェクター１００については、最後に取得した光源１１１の点灯時間が記憶手段２２０に保存されている。ステップＳ３０２は、点灯時間受信ステップに相当する。
【００７２】
ステップＳ３０３においてプロジェクター選択手段２１１は、保管ラック１１に保管された使用可能であるプロジェクター１００のうち、最も使用順位の低いプロジェクター１００を選択し、ステップＳ３０４に遷移する。
【００７３】
ステップＳ３０４においてプロジェクター選択手段２１１は、ステップＳ３０３において選択したプロジェクター１００より使用順位が一つ上で、かつ使用可能なプロジェクター１００があるか否かを調べる。使用順位が一つ上で、かつ使用可能なプロジェクター１００がある場合（ステップＳ３０４：Ｙ）には、ステップＳ３０５に遷移する。使用順位が一つ上で、かつ使用可能なプロジェクターがない場合（ステップＳ３０４：Ｎ）には、ステップＳ３０７に遷移する。
【００７４】
ステップＳ３０５においてプロジェクター選択手段２１１は、ステップＳ３０３において選択したプロジェクター１００より使用順位が一つ上のプロジェクター１００との光源１１１の点灯時間の差が所定の時間Ｔ１（例えば１００時間）であるか否かを調べる。使用順位が一つ上のプロジェクター１００との光源１１１の点灯時間の差が時間Ｔ１以上の場合（ステップＳ３０５：Ｙ）には、ステップＳ３０７に遷移する。使用順位が一つ上のプロジェクター１００との光源１１１の点灯時間の差が時間Ｔ１未満の場合（ステップＳ３０５：Ｎ）には、ステップＳ３０６に遷移する。ステップＳ３０５は、プロジェクター選択ステップに相当する。
【００７５】
ステップＳ３０６においてプロジェクター選択手段２１１は、現在選択されているプロジェクター１００より順位が上で、使用可能なプロジェクター１００を選択し、ステップＳ３０４に遷移する。
【００７６】
ステップＳ３０７において使用許可発行手段２１２は、ステップＳ３０３からステップＳ３０６の処理において選択されたプロジェクター１００に、ステップＳ３０１において受け付けた使用許可要求に基づく使用許可情報を送信し、ステップＳ３０８に遷移する。ステップＳ３０７は、使用許可発行ステップに相当する。
【００７７】
ステップＳ３０８において本動作フローを終了する。
【００７８】
なお、プロジェクター１００の動作を示すフローチャートは、第１実施形態の図３（ｂ）と共通であるので説明は省略する。
【００７９】
以上説明したように、本実施形態のプロジェクター管理システム１０によれば、使用順位が設定された複数のプロジェクター１００のうち、使用順位が一つ上のプロジェクターとの光源１１１の点灯時間の差が所定の時間Ｔ１以上で、使用順位が低いプロジェクター１００から選択し、使用許可情報を発行する。これにより、使用順位が設定された複数のプロジェクター１００において、使用順位が一つ前後する２つのプロジェクター１００において、光源１１１の点灯時間の差が所定の時間Ｔ１以内になるようにプロジェクター１００が選択され、使用許可情報が発行される。よって、各プロジェクター１００が同じ頻度で使用されて光源１１１が同時期に集中して寿命時間に到達するのを防止すると共に、各プロジェクター１００の使用頻度のばらつきを小さくし、特定のプロジェクター１００の光源１１１が他のプロジェクター１００の光源１１１より著しく早く寿命に達することを防止することが可能となる。
【００８０】
また、上記実施形態は、以下のように変更してもよい。
（変形例１）
上述した実施形態では、使用許可時間とは、プロジェクター１００を使用する（動作させる）ことができる期間（日時範囲）を表すものであり、その期間が過ぎたら使用許可情報は無効となり、プロジェクター１００を使用する（動作させる）ことはできなくなるようにしているが、プロジェクター１００を何時間使用することができるかを定めた時間を含むようにしてもよい。これにより、プロジェクター１００を使用することができる期間、または使用することができる時間のいずれか早いほうが許可された期限または時間に到達した場合にプロジェクター１００を使用することができなくすることができる。
【符号の説明】
【００８１】
１０…プロジェクター管理システム、１１…保管ラック、１２…操作パネル、１００…プロジェクター、１０６…画像入力端子、１１０…画像投写手段、１１１…光源、１１２Ｒ，１１２Ｇ，１１２Ｂ…液晶ライトバルブ、１１３…投写レンズ、１１４…液晶駆動手段、１１６…ＯＳＤ処理手段、１１７…画像信号処理手段、１１８…画像信号入力手段、１２０…制御手段、１２１…点灯時間計測手段、１３０…記憶手段、１４２…光源制御手段、１４３…入力操作手段、１４５…通信手段、１４７…報知手段、１５０…電源端子、１５１…電源部、２００…プロジェクター管理装置、２１０…制御手段、２１１…プロジェクター選択手段、２１２…使用許可発行手段、２２０…記憶手段、２３０…使用許可受付手段、２５０…通信手段、２６０…表示手段。
【図１】
2014142391.tif 000003
【図２】
2014142391.tif 000004
【図３】
2014142391.tif 000005
【図４】
2014142391.tif 000006
【図５】
2014142391.tif 000007